(57)【特許請求の範囲】
【請求項１】
ベッド側面における幕板内側のフレーム適所に着脱可能に装着するようにした、使用者の移動の際の手掛りとすべき掴み箇所を有する介助支柱と、この介助支柱に小物置用テーブルを、ベッド床部外方に水平状態に突出保持すると共に介助支柱側に格納可能に設けてなることを特徴とするベッドの介助装置。
【請求項２】
前記介助支柱は、一対の脚部と掴み梁部で構成する門型支柱パイプであり、前記一対の脚部を介し、ベッドにおけるフレームにクランプ手段により取り付ける構成とし、前記支柱パイプ頂部の掴み梁部近傍における一対の脚部間に、支軸を介して前記小物置用テーブルをベッド床部外方、水平方向に突出、鉛直下向きに格納可能に装着し、前記一対の脚部のうちの一方側に、前記小物置用テーブルを水平状態に支持するテーブルステーを回動可能に設けたことを特徴とする請求項１記載のベッドの介助装置。
【発明の詳細な説明】
【０００１】
【発明の属する技術分野】
本発明は、ベッドの側面側に設けて、主に小物置きとしての機能を有するベッド付属品に、介助機能を持たせるようにした、ベッドの介助装置に関するものである。
【０００２】
【従来の技術】
従来から、ベッド側面には、ベッド用付属品として、様々な構造の側柵や、介助手段、さらには、小物置台等が、設けられてきた。
【０００３】
【発明が解決しようとする課題】
ところで、我が国は近年、急速に高齢者人口が増大し、高齢化社会に突入しているといわれている。かかる社会において、現在、健常者のほとんどは、将来は、身体の機能の衰えからくる老後の不安を抱いていると言っても過言ではない。そのような不安解消の一つの方策として、通常寝起きしているベッドが、将来には、介護ベッドとして使える構造のものが考えられている。
本発明はかかる背景から提案されたものであって、ベッドの側面側に設けて、通常は小物置きとして使用されるベッド付属品に、介助機能を持たせるようにした、ベッドの介助装置を提供することを目的とする。
【０００４】
【課題を解決するための手段】
上述した課題を解決するために、本発明では、請求項１において、ベッド側面における幕板内側のフレーム適所に着脱可能に装着するようにした、使用者の移動の際の手掛りとすべき掴み箇所を有する介助支柱と、この介助支柱に小物置用テーブルを、ベッド床部外方に水平状態に突出保持すると共に介助支柱側に格納可能に設けてなるベッドの介助装置を提案する。
また本発明では、請求項２において、前記介助支柱は、一対の脚部と掴み梁部で構成する門型支柱パイプであり、前記一対の脚部を介し、ベッドにおけるフレームにクランプ手段により取り付ける構成とし、前記支柱パイプ頂部の掴み梁部近傍における一対の脚部間に、支軸を介して前記小物置用テーブルをベッド床部外方、水平方向に突出、鉛直下向きに格納可能に装着し、前記一対の脚部のうちの一方側に、前記小物置用テーブルを水平状態に支持するテーブルステーを回動可能に設けたベッドの介助装置を提案する。
【０００５】
請求項１によれば、小物置用テーブルは、使わないとき、介助支柱側に格納しておくことができる。また小物置き用テーブルを使用するときは、ベッド床部外方に水平状態に支持する。
このため、介助支柱の掴み箇所を掴む際、なんらテーブルによって妨げとなることはない。
【０００６】
請求項２によれば、門型支柱パイプにおける掴み梁部は、マットレス上を移動する際に、手掛りとして掴みやすく、また、対応したテーブルも小物置として十分に活用することができ、テーブルは、ベッド床部外方、水平方向に突出、鉛直下向きに格納可能に装着したことで、介助機能、小物置き機能として、互いに妨げとなるようなことはなく、十分に発揮することができる。
【０００７】
【発明の実施の形態】
次に、本発明にかかるベッドの介助装置について、一つの実施の形態を挙げ、添付の図面を基に以下説明する。
図１、図２に、ベッド１の側面に設けて、小物置きとしての機能と共に、介助手段としての機能とを有する小物置兼用介助装置２を示す。
この小物置兼用介助装置２は、ベッド１側面に面したフレーム（後述）をカバーする化粧板である幕板３の内側のフレームに、一対のクランプ手段４、４を介して取り付ける構成とした、介助支柱としての支柱パイプ５と、この支柱パイプ５頂部側近傍に格納突出可能に取り付けてなるテーブル６とから実質的に構成されている。この場合、前記一対のクランプ手段４、４は、前記支柱パイプ５の幅寸法に合わせてフレームに固定して、支柱パイプ５の基端側に設けた取付軸（後述）を差し込むようにしている。
そして、前記支柱パイプ５を構成する脚部（後述）には、前記テーブル６を水平状態に支持するテーブルステー７を回動可能に設けている。
【０００８】
前記クランプ手段４は、図３に示すように、幕板３内側のフレーム８に、上下から挟持するようにした下枠９と上枠１０とを有している。前記下枠９は、フレーム８を下面から密接するようにＬ型形状に形成されており、前記上枠１０は、前記フレーム８に上面から密接するように断面略Ｓ字型形状に形成されている。また、これら下枠９と上枠１０とは、下枠９と上枠１０とをフレーム８に上下から挟持した際に、ねじ１１，１１によって互いに一体的に連結させている。そして、前記上枠１０には、支柱パイプ５基端側における取付軸（後述）を差し込むための差込パイプ１２，１２を一体的に設けている。これら差込パイプ１２，１２は、下枠９と上枠１０とをフレーム８に上下から挟持した際に、互いに平行に、且つ水平方向に指向している。また差込パイプ１２，１２には、支柱パイプ５基端側の取付軸を差し込んだ際、脱落しないように締付ける締付ねじ１３，１３を有している。
【０００９】
前記支柱パイプ５は、一対の脚部５ａ，５ａと掴み梁部５ｂとを有する略コ字型のパイプ材からなる。また前記一対の脚部５ａ，５ａ基端側には、前記クランプ手段４における上枠１０の差込パイプ１２，１２に差し込むための取付軸１４，１４を有している。これら取付軸１４，１４は一対の脚部５ａ，５ａに対して鉛直方向に指向している。
そして、前記一対の脚部５ａ，５ａの頂部近傍の位置において、前記一対の脚部５ａ，５ａ間に、テーブル６を、支軸１５，１５を介して水平方向に突出、鉛直下向きに格納可能に装着している。この場合、テーブル６側には、長手方向一辺寄りの両端側に座金１６，１６を設けて、これら座金１６，１６に一体的に設けた受パイプ１７，１７に、前記一対の脚部５ａ，５ａにおける支軸１５，１５を差し入れることで、テーブル６を保持するようにしている。
【００１０】
また、前記支柱パイプ５の一方の脚部５ａにおいて、図３、図４に示すように、前記テーブル６を水平状態に支持するテーブルステー７を、テーブルステー７の基端側に取り付けた取付パイプ７ａを脚部５ａに嵌入し、次いでスペーサ部材１８を介して取付軸１４を脚部５ａの基端側に取付パイプ１４ａを介してねじ止めしている。なお、支柱パイプ５の他方の脚部５ａの末端側には、取付軸１４を一体的に固設してある。
【００１１】
以上のように本発明にかかるベッドの介助装置は構成されるので、小物置兼用介助装置２は、通常時には、テーブル６を水平方向に突出保持して、小物置きとして活用することができる。この場合、支柱パイプ５の一対の脚部５ａ，５ａ末端側における取付軸１４を、クランプ手段４における上枠１０の差込パイプ１２に差し込むようにする。その際、支柱パイプ５は、ベッド１における幕板３内側のフレーム８の任意の位置に、クランプ手段４によって取り付けることができる。
前記テーブル６を水平方向に突出保持するには、テーブル６下面側に、テーブルステー７を引き出してテーブルステー７を当接させて水平状態に保持させることができる。
斯くして使用者は、テーブル６を使用しやすい、手の届く位置にもたらして、小物置きとして活用することができる。
【００１２】
そして、使用者が年配者であったり、下肢の不自由な状態に陥ったようなときは、ボトムＢ上のマットレスＭの上面より上方に突出する支柱パイプ５頂部の掴み梁部５ｂを掴んで、身体をボトムＢ上で移動する際の手掛かりとしたり、ボトムＢ側部で、ベッド１下の床面に足を着けて立ち上がる際の手掛かりとして活用することもできる。この場合、テーブル６は、ベッド１側部外方に保持されているので、使用者が支柱パイプ５頂部の掴み梁部５ｂを掴む際、何ら邪魔になるようなことはない。
なお、前記支柱パイプ５は、形状からも一見して介助機能を有するものには見えず、文字通りテーブル６の支持手段として機能する印象が強いものであるので、このベッド１は健常者にとっても、通常のベッドとして、何ら違和感のない外観を有するものであると言える。
【００１３】
【発明の効果】
以上の通り、本発明によれば、小物置きとしての印象が大きく、一見介助手段とは思えず、外観上、通常のベッドとして違和感のないものである。
また、小物置きとしてのテーブルは、ベッド側部外方に突出した状態に保持されるか、介助支柱沿いに格納状態とする構成であるので、使用者が介助支柱を掴む際に何ら、妨げとなるようなことはない。
【００１４】
【図面の簡単な説明】
【図１】本発明にかかる小物置兼用介助装置の一例を設けたベッドを示す側面図である。
【図２】図１に示すベッドの平面図である。
【図３】図１に示す小物置兼用介助装置の取り付け構成を示す、斜視説明図である。
【図４】図１に示す小物置兼用介助装置の構成を示す、分解斜視説明図である。
【符号の説明】
１                            ベッド
２                            小物置兼用介助装置
３                            幕板
４                            クランプ手段
５                            支柱パイプ
５ａ                          脚部
５ｂ                          掴み梁部
６                            テーブル
７                            テーブルステー
７ａ                          取付パイプ
８                            フレーム
９                            下枠
１０                          上枠
１１                          ねじ
１２                          差込パイプ
１３                          締付ねじ
１４                          取付軸
１４ａ                        取付パイプ
１５                          支軸
１６                          座金
１７                          受パイプ
Ｍ                            マットレス
Ｂ                            ボトム
【図１】
0003553891.tif 000002
【図２】
0003553891.tif 000003
【図３】
0003553891.tif 000004
【図４】
0003553891.tif 000005